(57)【要約】      （修正有）【課題】重量が軽くて携帯に便利であり、且つ、投影幕を随意に展開したり巻き収めたりすることができ、該投影幕の支持機構が安定化するように構成された携帯式投影幕を提供する。【解決手段】投影幕３０は、一端が第一支持架１０の内部の巻軸に巻き収められ、他の一端が第二支持架４０と連結されている。第一支持架１０と第二支持架４０との間には、両者のスパンを拡大したり縮小したりすることができるように、Ｘ形状に構成された連接棒組６０が設置されている。この連接棒組６０を拡大させて投影幕３０を展開したときは、固定機構によって連接棒組６０は展開状態の定位置に安定的に保持される。また、投影幕３０を収納するときは、Ｘ形状の連接棒組６０は投影幕３０とともに第一支持架１０の内部に収納される。従って、投影幕３０の収納後の体積を縮小することができるので携帯及び搬送に便利である。【選択図】図１
0003166219.tif 000002
【実用新案登録請求の範囲】
【請求項１】
投影幕３０を展開及び収納することができる携帯式投影幕であって、
第１支持架１０の内部に巻軸２０が付設され、前記投影幕３０の一端が前記巻軸２０に連接されて該巻軸２０上に巻き付けられると共に、該投影幕３０の他端は活動可能端３１として第二支持架４０に直線的に連接され、該第二支持架４０は、前記第１支持架１０と平行して上昇又は下降状態を保持し、前記第二支持架４０と前記投影幕３０との間で力を伝動させて前記投影幕３０を展開又は巻き収めることを特徴とする携帯式投影幕。
【請求項２】
上記第一支持架１０と上記第二支持架４０には、長さ方向に沿って個別に第一ガイドメンバー１４と第二ガイドメンバー４１とが設けられ、該第一支持架１０と該第二支持架４０との間でＸ形状に交差する連接棒組６０の２個の連接棒６１、６２の滑動端６８、６９には、個別に、前記第一ガイドメンバー１４と前記第二ガイドメンバー４１とに滑動可能な状態で接合するように相連接メンバー６３、６４が設けられていることを特徴とする請求項１記載の携帯式投影膜。
【請求項３】
上記第一ガイドメンバー１４と上記第二ガイドメンバー４１は開口を有するガイド槽を備え、２個の上記相連接メンバー６３、６４は前記ガイド槽内のロール又はスライデングブロックに掛け止められていることを特徴とする請求項２記載の携帯式投影幕。
【請求項４】
上記連接棒組６０と上記第二支持架４０との間には、上記連接棒組６０と連接される第２の連接棒組６０Ｂが設置され、該第２の連接棒組６０Ｂの２個の連接棒６１Ｂ、６２Ｂと上記連接棒組６０の２個の連接棒６１、６２は同じ長さを有し、かつ前記２個の連接棒６１Ｂ、６２ＢはＸ形状に交差配列され、上記連接棒組６０の連接棒６１、６２と前記第２の連接棒組６０Ｂの連接棒６１Ｂ、６２Ｂの接近する側の一端はそれぞれ相互に枢着され、それぞれの他端は上記第一支持架１０と上記第二支持架４０の上に滑動可能に連接され、上記第一支持架１０と上記第二支持架４０は平行に接近又は遠離して保持できることを特徴とする請求項１、２、又は３記載の携帯式投影幕。
【請求項５】
上記第二支持架４０には上記投影幕３０の活動可能端３１が貼付されてその上に平面部４３が付設され、該活動可能端３１の末端辺縁には圧板４２が粘付され、該圧板４２を介して前記活動可能端３１を前記平面部４３上に圧着し、且つ、夾持部４５が上記第二支持架４０の前記平面部４３の辺縁位置に設置され、該夾持部４５によって前記圧板４２と上記投影幕３０の活動可能端３１の辺縁とが前記平面部４３上に圧着固定されていることを特徴とする請求項１記載の携帯式投影機。
【請求項６】
上記平面部４３には若干の刻み模様４４が設置され、上記投影幕３０の活動可能端３１と該平面部４３の付着力を増強させていることを特徴とする請求項５記載の携帯式投影幕。
【請求項７】
上記第二支持架４０上には定位機構７０が設置され、該定位機構７０は、該第二支持架４０上の第二ガイドメンバー４１中に設置された定位座７１と、連接棒６１の滑動端６８に連接された滑動座７２とを備え、上記投影幕３０が展開されて前記滑動座７２と前記定位座７１とが相対的に接近したとき、第一拘ピース７３と第２拘ピース７４とが相互に掛け止められて該滑動座７２と該定位座７１とが一体的に連接されることにより、上記連接棒組６０は展開状態の定位置に保持されることを特徴とする請求項１記載の携帯式投影幕。
【考案の詳細な説明】
【技術分野】
【０００１】
本考案は、投影機に使用される携帯式投影幕に関するものであり、特に、投影幕本体に収納可能な支持架台を備えていて投影幕を収納することができる携帯式投影幕の改良構造に関するものである。
【背景技術】
【０００２】
従来より、一般的に使用されている投影機の投影幕は、映像が投影される布の部分を壁吊り式にした構造のものが広く利用されている。このような壁吊り式構造の投影幕は、大方、室内の壁に横向きに設置して吊下げられた横向きの巻軸装置を備えており、その巻軸装置には巻き取られた投影幕の布が収納されている。したがって、巻軸装置に付設されている電動モータ、又は手動方式を利用して、投影幕の布を巻軸装置に巻き収めて収納したり、該巻軸装置から布を垂れ下げて投影幕として使用したりする動作が行われている。
【０００３】
この種の壁吊り式投影幕は、通常は、固定式の大型投影幕の用途に利用されているため、投影幕の容積は相当に大きく、且つ、重量も相当に重い。したがって、これらの壁吊り式投影幕は、通常は、教室、会議室、視聴室等の定められた場所に組み立てられて固定的に設置されているため、随意に移動させて使用することができない。
【０００４】
また、他の種類の投影幕として、移動可能な構造の投影幕も一般的に利用されている。この種の移動式の投影幕は、通常は、投影幕を巻き収めることができるようになっていると共に、投影幕を吊り下げたときに高さを調整することができる支持架を備えている。この支持架は、投影幕を吊り下げて展開した後に、直立方式で地面に架設することができるようになっていると共に、投影幕の不使用時には、該投影幕及び該支持架を分解した後に、それぞれを個別に巻き収めたり収拾したりすることができる構造になっているので、投影幕を搬送したり収納したりするのに極めて便利である。
【０００５】
この種の移動式投影幕は所望の場所へ移動させることができる利点があるが、それゆえに投影幕と支持架は二つの異なるパッケージに分割されて収納されるようになっている。そのため、投影幕の搬送時には２個のパッケージを搬送しなければならないので搬送作業が面倒である。また、一般的な投影幕の支持架は、通常は、伸縮可能な直立棹体を利用して投影幕を上昇させる構造になっている。そのため、投影幕を上昇させた後は、該投影幕の頂点に１箇所ある支持点を中央にして組み立てる必要がある。すなわち、投影幕を吊り下げたときに該投影幕の頂点の支持点を中央に持ってこないと、重心が不安定になって該投影幕が傾いてしまうおそれがある。
【０００６】
また、近年、投影機の普及によってその技術も日々進歩してきているので、投影機はますます小型化されて携帯可能な構造になってきている。一方、業務上の簡単な報告などは投影機を用いて行われるので、市場における投影機の必要性はますます高くなってきている。それに伴って携帯可能な投影幕も相対的に必要となる。一般的な大型の投影幕では、携帯可能な小型の投影幕市場の必要性を充分に満足させることはできない。そのために、小型かつ取扱いの容易な携帯可能の投影幕が開発され、生産されてきている。
【０００７】
この種の小型かつ取扱い易い携帯可能な投影幕は、投影幕の布部分と支持架とを一体化させた構造になっている。但し、投影幕を使用するときの支持架は、伸縮可能な直立棹体の構造になっていて、かつ投影幕を展開したときには、該投影幕の頂端を一点で支持させる構造になっているため、投影幕の支持が不安定になって簡単に揺動しやすい構造となっている。
【０００８】
このような不具合を除くために、Ａ４紙の大きさを拡大／縮小するように投影面積を可変できるようにした使い勝手のよい平板状の投影幕も生産されているが、それらの投影幕は折畳んだり繰り広げたりして投影面積を増減させることができないので、結果的に、投影幕の携帯搬送が不便となる。このような事情から、小型投影幕市場の要求を充分に満足させることができないのが現状である。以上のような背景により、現在汎用されている小型投影機には携帯式の投影幕のさらなる改良が望まれている。そこで、考案者は、これらの事情に鑑みて鋭意努力し、不断の試験と改良を経て本考案の携帯式投影幕に辿り着いた。
【０００９】
尚、関連技術として、屋外で風を遮ったり周囲からの視角を絶つための屋外用仕切り幕を白い布地にして、屋外において８ｍｍ映画やスライド等を映すためのスクリーン（投影幕）として利用する技術が開示されている（特許文献１参照）。この技術によれば、スクリーンは左右の両スタンドの間に展開されるように構成されている。そして、一方側（左側）のスタンドはスクリーンをロール状にして収納するホルダーを備え、該左側のスタンドから展開されたスクリーンは、他方側（右側）のスタンドのフックとリングとの掛け止めによって該右側のスタンドへ広げられて固定される。このような構成により、スクリーンの展開幅を自在に調節できると共に、該スクリーンの移動、設置、及び片付け等を簡単に行うことができる。
【先行技術文献】
【特許文献】
【００１０】
【特許文献１】実開平６−３１８１号公報
【考案の概要】
【考案が解決しようとする課題】
【００１１】
すなわち、前述のような汎用の携帯式投影幕は、投影幕を展開したときの支持の不安定さや携帯の不便さが解消されていない。また、特許文献１に開示された技術は大型のスクリーンに関する技術であり、この技術を参考にしても携帯式投影幕の使い勝手の不具合さを解消することはできない。
【００１２】
そこで、重量が軽くて携帯に便利であり、且つ、投影幕を随意に展開したり巻き収めたりすることができ、該投影幕の支持機構が安定化するように構成された携帯式投影幕を提供するために解決すべき技術的課題が生じてくるのであり、本考案はこの技術的課題を解決することを目的とする。
【課題を解決するための手段】
【００１３】
本考案は上記目的を達成するために提案されたものであり、請求項１記載の考案は、投影幕３０を展開及び収納することができる携帯式投影幕であって、第１支持架１０の内部に巻軸２０が付設され、前記投影幕３０の一端が前記巻軸２０に連接されて該巻軸２０上に巻き付けられると共に、該投影幕３０の他端は活動可能端３１として第二支持架４０に直線的に連接され、該第二支持架４０は、前記第１支持架１０と平行して上昇又は下降状態を保持し、前記第二支持架４０と前記投影幕３０との間で力を伝動させて前記投影幕３０を展開又は巻き収めることを特徴とする携帯式投影幕を提供する。
【００１４】
この構成によれば、第一支持架１０と第二支持架４０との間には連接棒組６０が設けられていて、該連接棒組６０は２個の同じ長さの連接棒６１、６２を有し、２個の連接棒６１、６２は、中央部分において相互に一括して枢着されてＸ形状に交差している。さらに、２個の連接棒６１、６２の一端は、支点端６５、６６によって第一支持架１０と第二支持架４０の上に枢着され、他の一端は、滑動端６８、６９として、第一支持架１０と第二支持架４０の長さ方向に沿って滑動可能に連接されている。このような構成により、連接棒組６０の２個の連接棒６１、６２は第一支持架１０と第二支持架４０を一括して連接することができ、投影幕３０を展開したときは、第一支持架１０及び第二支持架４０を展開相対位置に定位して支持し、該投影幕３０を展開状態に保持することができる。
【００１５】
請求項２記載の考案は、上記第一支持架１０と上記第二支持架４０には、それぞれ、長さ方向に沿って個別に第一ガイドメンバー１４と第二ガイドメンバー４１とが設けられ、該第一支持架１０と該第二支持架４０との間でＸ形状に交差する連接棒組６０の２個の連接棒６１、６２の滑動端６８、６９には、個別に、前記第一ガイドメンバー１４と前記第二ガイドメンバー４１とに滑動可能な状態で接合するように相連接メンバー６３、６４が設けられていることを特徴とする請求項１記載の携帯式投影膜を提供する。
【００１６】
この構成によれば、第一ガイドメンバー１４及び第二ガイドメンバー４１と２個の相連接メンバー６３、６４との配置は、２個の連接棒６１、６２の滑動端６８、６９をガイドしながら、第一支持架１０及び第二支持架４０の長さ方向に沿って直線的に往復位置を移動することができるようになっている。
【００１７】
請求項３記載の考案は、上記第一ガイドメンバー１４と上記第二ガイドメンバー４１は開口を有するガイド槽を備え、２個の上記相連接メンバー６３、６４は前記ガイド槽内のロール又はスライデングブロックに掛け止められていることを特徴とする請求項２記載の携帯式投影幕を提供する。
【００１８】
この構成によれば、第一ガイドメンバー１４と第二ガイドメンバー４１は、それぞれ、開口を有するガイド槽を備えていて、それぞれの相連接メンバー６３、６４はガイド槽内に収納されたロール又はスライデングブロックに掛け止められているので、各連接棒６１、６２の滑動端６８、６９を容易にスライドさせることができる。
【００１９】
請求項４記載の考案は、上記連接棒組６０と上記第二支持架４０との間には、該連接棒組６０と連接される第２の連接棒組６０Ｂが設置され、該第２の連接棒組６０Ｂの２個の連接棒６１Ｂ、６２Ｂと上記連接棒組６０の２個の連接棒６１、６２は同じ長さを有し、かつ前記２個の連接棒６１Ｂ、６２ＢはＸ形状に交差配列され、上記連接棒組６０の連接棒６１、６２と前記第２の連接棒組６０Ｂの連接棒６１Ｂ、６２Ｂの接近する側の一端はそれぞれ相互に枢着され、それぞれの他端は上記第一支持架１０と上記第二支持架４０の上に滑動可能に連接され、上記第一支持架１０と上記第二支持架４０は平行に接近又は遠離して保持できることを特徴とする請求項１、２、又は３記載の携帯式投影幕を提供する。
【００２０】
この構成によれば、第一支持架１０と第二支持架４０との間には、第１の連接棒組６０と第２の連接棒組６０Ｂとの２組の連接棒組が連接して介在されている。従って、第一支持架１０と第二支持架４０との間隔を拡大して投影幕３０を展開したり収納したりすることができるので、投影面積の大きい携帯式投影幕を実現することができる。
【００２１】
請求項５記載の考案は、上記第二支持架４０には上記投影幕３０の活動可能端３１が貼付されてその上に平面部４３が付設され、該活動可能端３１の末端辺縁には圧板４２が粘付され、該圧板４２を介して前記活動可能端３１を前記平面部４３上に圧着し、且つ、夾持部４５が上記第二支持架４０の前記平面部４３の辺縁位置に設置され、該夾持部４５によって前記圧板４２と上記投影幕３０の活動可能端３１の辺縁とが前記平面部４３上に圧着固定されていることを特徴とする請求項１記載の携帯式投影機を提供する。
【００２２】
この構成によれば、第二支持架４０には投影幕３０の活動可能端３１が貼付されてその上に平面部４３が付設されている。さらに、活動可能端３１の末端辺縁には圧板４２が粘付され、この圧板４２を介して活動可能端３１を平面部４３上に圧着している。さらに、夾持部４５が第二支持架４０の平面部４３の辺縁位置に設置され、この夾持部４５が圧板４２と投影幕３０の活動可能端３１の辺縁とを平面部４３上に強固に圧着固定している。これによって、投影幕３０の活動可能端３１は第二支持架４０から剥がれるおそれはない。
【００２３】
請求項６記載の考案は、上記平面部４３には若干の刻み模様４４が設置され、上記投影幕３０の活動可能端３１と該平面部４３の付着力を増強させていることを特徴とする請求項５記載の携帯式投影幕を提供する。
【００２４】
この構成によれば、平面部４３には滑り止め用の刻み模様４４が設けられているので、投影幕３０の活動可能端３１と平面部４３との付着力を一層増強させることができる。
【００２５】
請求項７記載の考案は、上記第二支持架４０上には定位機構７０が設置され、該定位機構７０は、該第二支持架４０上の第二ガイドメンバー４１中に設置された定位座７１と、連接棒６１の滑動端６８に連接された滑動座７２とを備え、上記投影幕３０が展開されて前記滑動座７２と前記定位座７１とが相対的に接近したとき、第一拘ピース７３と第２拘ピース７４とが相互に掛け止められて該滑動座７２と該定位座７１とが一体的に連接されることにより、上記連接棒組６０は展開状態の定位置に保持されることを特徴とする請求項１記載の携帯式投影幕。
【００２６】
この構成によれば、第二支持架４０の上には定位機構７０が設置されている。そして、この定位機構７０は、第二支持架４０上の第二ガイドメンバー４１の中に設置された定位座７１と、連接棒６１の滑動端６８に連接された滑動座７２とを備えている。これによって、投影幕３０が展開されて滑動座７２と定位座７１とが相対的に接近したときには、第一拘ピース７３と第２拘ピース７４とが相互に掛け止められることによって、滑動座７２と定位座７１とが一体的に連接されるので連接棒組６０は所望の展開状態の定位置に保持される。
【考案の効果】
【００２７】
請求項１記載の考案によれば、投影幕３０は、携帯式投影幕の本体を構成する連接棒組６０を介して支持されて展開できるようになっている。従って、第一支持架１０と第二支持架４０による連接棒組以外の支持架は不要となる。しかも、投影幕３０を展開した後は、連接棒組６０及び支持された投影幕３０は安定的に固定されるので、該投影幕３０が不用意に動揺するおそれはなくなる。また、投影幕３０の収納後は、連接棒組６０は完全に第一支持架１０の中に収納されるので、収納後の容積がコンパクトになって搬送しやすくなる。
【００２８】
請求項２記載の本考案によれば、２個の連接棒６１、６２の滑動端６８、６９はガイドされながら第一支持架１０及び第二支持架４０の長さ方向に沿って直線的に往復位置を移動することができるようになっているので、請求項１記載の考案の効果に加えて、さらに容易に投影幕３０を展開したり収納したりすることができる。
【００２９】
請求項３記載の本考案によれば、相連接メンバー６３、６４は、それぞれ、第一ガイドメンバー１４及び第二ガイドメンバー４１のガイド槽内に収納されたロール又はスライデングブロックに掛け止められているので、請求項２記載の考案の効果に加えて、各連接棒６１、６２の滑動端６８、６９を容易にスライドさせることができるため、一層容易に投影幕３０を展開したり収納したりすることができる。
【００３０】
請求項４記載の本考案によれば、第一支持架１０と第二支持架４０との間には２組の連接棒組が連接して介在されているので、請求項１、２、又は３記載の考案の効果に加えて、第一支持架１０と第二支持架４０との間隔を拡大して投影幕３０を展開したり収納したりすることができるので、投影面積の大きい携帯式投影幕を実現することができる。
【００３１】
請求項５記載の本考案によれば、投影幕３０の活動可能端３１は、平面部４３、圧板４２、及び夾持部４５を介して第二支持架４０に強固に圧着固定しているので、請求項１記載の考案の効果に加えて、投影幕３０の活動可能端３１は第二支持架４０から容易に剥がれるおそれはない。
【００３２】
請求項６記載の本考案によれば、平面部４３には刻み模様４４が設けられているので、請求項５記載の考案の効果に加えて、投影幕３０の活動可能端３１と平面部４３の付着力をさらに増強させているので、投影幕３０の活動可能端３１が第二支持架４０から剥がれるおそれは殆んどなくなる。
【００３３】
請求項７記載の本考案によれば、第二支持架４０の上には定位機構７０が設置されているので、請求項１記載の考案の効果に加えて、投影幕３０が展開されて滑動座７２と定位座７１とが相対的に接近したときには、第一拘ピース７３と第２拘ピース７４とが相互に掛け止められて滑動座７２と定位座７１とが一体的に連接されるため、連接棒組６０を所望の展開状態の定位置に保持させることができる。これによって、携帯式投影幕の使用時には投影幕を安定的に展開させておくことができる。
【図面の簡単な説明】
【００３４】
【図１】本考案の実施例１に係る携帯式投影幕を展開したときの正面図。
【図２】本考案の実施例１に係る携帯式投影幕を収拾状態に接近させたときの正面図。
【図３】本考案の実施例１に係る携帯式投影幕が収拾状態になったときの側面の組み合わせ断面図。
【図４】本考案の実施例１に係る携帯式投影幕が展開状態になったときの側面の組み合わせ断面図。
【図５】本考案の実施例１に係る携帯式投影幕が展開状態になったときの第一支持架を側面から見た広大断面図。
【図６】本考案の実施例１に係る携帯式投影幕が展開状態になったときの第二支持架を側面から見た広大断面図。
【図７】本考案の実施例１に係る携帯式投影幕が展開状態になったときの組み合わせ斜視図。
【図８】本考案の実施例１に係る携帯式投影幕に使用される定位機構が第二支持架上に載置された状態を示す局部広大視図。
【図９】図８に示す定位機構が相互に接続されている状態を示す平面図。
【図１０】本考案の実施例２に係る携帯式投影幕を展開したときの正面図。
【考案を実施するための最良の形態】
【００３５】
本考案は、重量が軽くて携帯に便利であり、且つ、投影幕を随意に展開したり巻き収めたりすることができて、該投影幕の支持機構が安定化するように構成された携帯式投影幕を提供するという目的を達成するために、投影幕３０を展開及び収納することができる携帯式投影幕であって、第１支持架１０の内部に巻軸２０が付設され、前記投影幕３０の一端が前記巻軸２０に連接されて該巻軸２０上に巻き付けられると共に、該投影幕３０の他端は活動可能端３１として第二支持架４０に直線的に連接され、該第二支持架４０は、前記第１支持架１０と平行して上昇又は下降状態を保持し、前記第二支持架４０と前記投影幕３０との間で力を伝動させて前記投影幕３０を展開又は巻き収めることを特徴とする携帯式投影幕を提供することによって実現した。
【００３６】
すなわち、本考案の携帯式投影幕は、投影幕３０の第一支持架１０と第二支持架４０との間に、伸縮自在のＸ形状の連接棒組６０又は双Ｘ形状の連接棒組６０Ｂを設置し、これらの連接棒組６０、６０Ｂを広げて投影幕３０を展開した後に両サイドの支持架（第一支持架１０と第二支持架４０）を構築する。さらに、投影幕３０を収納するときは、Ｘ形状又は双Ｘ形状の連接棒組６０、６０Ｂを第一支持架１０の中に収納して該投影幕３０の収納後の体積を縮小させることにより、携帯に有利なようにコンパクトに構成されている。以下、本考案の技術的手段及びその効果について、図１乃至図１０を参照しながら詳細に説明する。
【実施例１】
【００３７】
先ず、本考案の実施例１に係る携帯式投影幕について説明する。図１乃至図４に示すように、本考案の携帯式投影幕において、第一支持架１０は、重量が軽く且つ堅固なアルミ成型材質の長尺な枠架として製作されている。すなわち、第一支持架１０は、長い棒状の形状を呈しており、且つその内部は中空状を呈した中空槽体１１が形成されている。また、長い棒状の巻軸２０が、前記第一支持架１０の中心軸線に沿って伝動可能に前記中空槽体１１の内部に組み立てられている。さらに、投影幕３０は、その一端が前記巻軸２０に連接され、且つ該巻軸２０の上に巻かれている。また、投影幕３０の他の一端は活動可能端３１となし、その活動可能端３１上において第二支持架４０が設置されている。これにより、投影幕３０の他の一端は活動可能端３１として第二支持架４０に直線的に接続されるので、投影幕３０の活動可能端３１は常に直線状態を保持することができる。
【００３８】
また、前記巻軸２０上には巻動スプリング（図示せず）が具備されており、前記投影幕３０が展開されたときには、該巻軸２０を伝動旋回して前記巻動スプリングが堅く巻かれる。従って、前記投影幕３０を収納するときには、前記巻動スプリングに貯えられた弾性力（スプリング力）を介して、前記巻軸２０の巻戻し力を伝動することにより、前記投影幕３０を該巻軸２０上に巻き収めることができる。
【００３９】
また、第二支持架４０は第一支持架１０と平行して上昇位置及び下降位置が保持されているので、該第二支持架４０は投影幕３０を伝動して展開及び巻き収められる状態となる。すなわち、図３及び図４に示す如く、第一支持架１０の頂面には開口１２が設けられているので、投影幕３０の活動可能端３１と第二支持架４０は開口１２から貫通させることができる、そして、投影幕３０が完全に巻軸２０へ巻き収められたときに、前記第二支持架４０は前記第一支持架１０の開口１２の箇所へ受納される。また、投影幕３０を展開させるときは、使用者が前記第二支持架４０を開口１２から上向きに引上げることによって投影幕３０を展開状態にすることができる。
【００４０】
また、前記第一支持架１０の底部には地面の水平線に沿う方向に足架５０を設けてあるので、該第一支持架１０を地面に安定的に支持することができる。これによって、前記第一支持架１０を平行に地面上へ安置し、投影幕３０が展開されたときには、該投影幕３０を地面又は卓面に垂直に展開できて、前記第一支持架１０を地面又は卓面上に安定的に置くことができる。
【００４１】
本考案による携帯式投影幕の主な特徴は、第一支持架１０と第二支持架４０との間に連接棒組６０を設置して、該第二支持架４０が該第一支持架１０と平行に上昇又は下降でき、且つ投影幕３０が展開されたときは、第一支持架１０と第二支持架４０との間で前記投影幕３０を支持して該投影幕３０を展開状態に保持することができる点である。
【００４２】
また、連接棒組６０は２個の連接棒６１、６２を具備し、これらの連接棒６１、６２はＸ形状の交差を呈し、且つ、かつ中段の交差部分は軸心６７を利用して一緒に取り付けられている。さらに、図１及図２に示す如く、２個の連接棒６１、６２は個別に支点端６５、６６を有し、それぞれ個別に前記第一支持架１０と前記第二支持架４０上に枢接され、支点端６５、６６は同一の水平位置１３上に存在する。さらに、連接棒６１、６２の相対する２個の支点端６５、６６の別の一端は滑動端６８、６９にあり、これらの滑動端６８、６９は直線滑動方式で前記第一支持架１０と前記第二支持架４０の上に連接できるようになっている。
【００４３】
図２に示す如く、２個の連接棒６１、６２の支点端６５、６６は、それぞれ個別に第一支持架１０、第二支持架４０上に固定されている。そのため、第二支持架４０がテンションを受けて第一支持架１０から離れたときは、２個の連接棒６１、６２の支点端６５、６６も第一支持架１０、第二支持架４０の相対移動に伴って一緒に相対的の位置移動を生じる。
【００４４】
このとき、２個の連接棒６１、６２は、交差する中央部の軸心６７によって中央位置が移動しないように制限を受けるため、２個の連接棒６１、６２の支点端６５、６６が、第一支持架１０、第二支持架４０の相対移動に伴って相対的に位置移動する。それと同時に、２個の連接棒６１、６２の他端の滑動端６８、６９も、軸心６７を中心として、２個の支点端６５、６６の位置移動に対応して位置移動が生じる。そのため、２個の滑動端６８、６９は、個別に第一支持架１０、第二支持架４０のガイドメンバー１４、４１の中で平行に滑動するので、投影幕３０には展開又は巻き収めるような伝動力が働く。
【００４５】
従って、図２に示す如く、２個の連接棒６１、６２の滑動端６８、６９が、第一支持架１０、第二支持架４０の各ガイドメンバー１４、４１の中に沿って、支点端６５、６６から遠く離れる方向へ滑動するとき、第一支持架１０と第二支持架４０との間隔距離を短い方向へ縮小することができる。さらに、２個の連接棒６１、６２が下降して重なる状態に接近したときは、図４に示す如く、第二支持架４０が第一支持架１０の内部に完全に収納されるため、投影幕３０は完全に第一支持架１０の内部に巻き収められる。
【００４６】
また、２個の連接棒６１、６２の滑動端６８、６９が、第一支持架１０、第二支持架４０のガイドメンバー１４、４１の中に沿って、支点端６５、６６の方へ接近する方向に向いて滑動するときは、連接棒組６０の頂端が上向きに上昇するため、第一支持架１０と第二支持架４０との間隔距離を長くして投影幕３０を展開状態にすることができる（図１及び図４参照）。
【００４７】
次に、図５、図６及び図７に示す如く、第一支持架１０における中空槽体１１の一方の側に、該第一支持架１０の長さ方向に沿って第一ガイドメンバー１４を設置し、かつ連接棒６２の滑動端６９に相連接メンバー６４を設置し、該相連接メンバー６４と第一ガイドメンバー１４とを滑動可能方式でもって相互に相連接する。また、第二支持架４０の背面にも、該第二支持架４０の長さ方向に沿って第二ガイドメンバー４１を設置する。さらに、連接棒６１の滑動端６８には相連接メンバー６３を設けていて、該相連接メンバー６３と第二ガイドメンバー４１とを滑動可能方式でもって相互に相連接している。本実施例中に使用される第一ガイドメンバー１４、第二ガイドメンバー４１は、一方の側に開口の凹槽を有し、相連接メンバー６３、６４が、滑動可能に前記凹槽内の滑動部材又はローラに取り付けられている。そのため、２個の連接棒６１、６２の滑動端６８、６９は、第一ガイドメンバー１４、第二ガイドメンバー４１の限制を受けて、第一支持架１０、第二支持架４０の長さ方向に沿って往復の位置移動を行うことができる。
【００４８】
すなわち、図７に示す如く、本考案の携帯式投影幕によれば、連接棒組６０の２個の連接棒６１、６２の滑動可能な一端（滑動端６８、６９）が最高位置まで伸張したときに投影幕３０を完全に展開することができる。また、本考案の携帯式投影幕によれば、連接棒組６０を介して投影幕３０を展開した後に、第二支持架４０と投影幕３０との支持骨組を直立状態に保持することができるので、投影機の影像を歪ませることなく投影幕３０上に正確に投影することができる。
【００４９】
さらに、本考案の携帯式投影幕は、図８及び図９に示す如く、第二支持架４０上において定位機構７０を設置することによって、投影幕３０が展開したときに連接棒組６０を展開状態の定位置に保持することができる。すなわち、定位機構７０は、定位座７１が第二支持架４０上の第二ガイドメンバー４１の中に設置され、滑動座７２が連接棒６１の滑動端６８に連接された構成となっている。また、定位座７１の設置位置は、連接棒６１の滑動端６８に近接して、連接棒組６０が上昇して最高位置に達したときの停留位置となっている。そのため、滑動座７２は、投影幕３０の展開後において定位座７１に接近することができるようになっている。
【００５０】
すなわち、図９に示す如く、定位座７１と滑動座７２が相互に接近した側面には相対的に第一拘ピース７３と第二拘ピース７４とが設けられている。また、第一拘ピース７３と第二拘ピース７４上には、相互に対応する拘持部７５、７６が設けられ、これらの２個の対応した拘持部７５、７６は、滑動座７２と定位座７１とが接近したとき相互に掛け止められて一体となり、滑動座７２と定位座７１とを一体的に連接する。これによって、連接棒６１の滑動端６８は前述した停留位置上に定位することになる。
【００５１】
また、定位座７１は第二ガイドメンバー４１の中で任意の位置に移動できるので、その移動位置は投影幕３０が展開される高さを決定することができる。例えば、必要な高さが比較的高いときには、定位座７１はガイドメンバー４１内の支点端６６の方へ移動して所望の位置へ行く。そして、定位座７１が所望の位置へ移動した後に、ネジなどの固定ピース７８で定位座７１を固定する。さらに、第一拘ピース７３又は第二拘ピース７４上において押圧部７７を設け、使用者が指で第一拘ピース７３又は第二拘ピース７４を押圧すると、第一拘ピース７３又は第二拘ピース７４が湾曲して拘持部７５、７６が相互に脱離する。これによって、滑動座７２及び第一連接棒組６０の連接棒６１の滑動端６８が移動自在な活動状態となる。これによって、連接棒組６０及び第二支持架４０が反方向で巻き収められる。
【００５２】
また、図８、図９に示す定位機構７０の定位座７１と滑動座７２は、第二支持架４０と連接棒６１の滑動端６８の上に設けられている。但し、実際に運用するときは、定位座７１と滑動座７２も同様に第一支持架１０と連接棒６２の滑動端６８の上に変更して設置することができる。この場合においても効果は前述の実施例の場合と同じである。
【００５３】
さらに、本考案に係る携帯式投影幕の他の改良点は、投影幕３０と第二支持架４０との間の結合方式にある。すなわち、投影幕３０と第二支持架４０とを結合させた後に投影幕３０に縮みじわが発生しないように工夫されている。言い換えると、投影幕３０が展開された後は、該投影幕３０の表面は、平坦であって波状のしわが生じない状態に維持される。さらに詳しく説明すると、図６に示すように、第二支持架４０の前側面に平面部４３が設けられ、この平面部４３に投影幕３０の活動可能端３１が貼り付けられているので、該投影幕３０の表面は常に平坦な状態に維持される。また、平面部４３上には、多数個の突出した歯状の刻み模様４４が設けているので、投影幕３０の活動可能端３１と平面部４３との滑り止め力はさらに増加する。尚、平面部４３の上方には、該平面部４３の辺縁より前に向いて伸びた後、再び向きをかえて下向きに湾屈した夾持部４５が設けられているので、平面部４３は緩みが生じることなく固定される。
【００５４】
投影幕３０の活動可能端３１の固定方式としては、先ず、高粘度かつ耐高温の両面接着方式によって、活動可能端３１の末端部分において、片状の圧板４２上に長條板を貼り付ける。その後、圧板４２と投影幕３０の活動可能端３１とを同時に第２支持架４０の夾持部４５へ挿入する。これによって、投影幕３０を展開するために引き出したときには、巻軸２０内に設けられた巻き戻しスプリングの戻し力によって、投影幕３０の活動可能端３１にも引っ張り力が発生する。この引っ張り力によって、圧板４２上の斜面と夾持部４５内の対応する斜面とでクサビ状に形成された傾斜を横方向に滑って移動するため、投影幕３０がその隙間に夾持されて締め付けられる。同時に、突出した歯状の刻み模様４４も投影幕３０の基材内に挿入されるので、投影幕３０を強固に夾持して締め付けるので、投影幕３０の活動可能端３１が脱落するおそれはないので、展開されたときの投影幕３０は、しわが発生することなく、表面の平坦性が確保される。
【実施例２】
【００５５】
次に、本考案の実施例２に係る携帯式投影膜について説明する。図１０は、本考案の実施例２に係る携帯式投影幕を展開したときの正面図であり、第一支持架１０と第二支持架４０との間に二組の連接棒組を設置した例を示している。図１０に示すように、本考案の実施例２に係る携帯式投影幕は、第一支持架１０と第二支持架４０との間に二組の連接棒組６０、６０Ｂを設置した。そのため、二組の連接棒組６０、６０Ｂの組み合わせを介して、第一支持架１０と第二支持架４０とを展開させたときの間隔距離を増加させることができる。これによって、さらに大きい寸法の投影幕を実現することができる。
【００５６】
図１０に示すように、第一支持架１０と第二支持架４０との間に二組の連接棒組６０、６０Ｂを増設したとき、新しく増設した第２の連接棒組６０Ｂは、既設の第１の連接棒組６０と同様にＸ形状の交差となっていて、第２の連接棒組６０Ｂは、第１の連接棒組６０と第二支持架４０の間に連接される。すなわち、第２の連接棒組６０Ｂの各連接棒６１Ｂ、６２Ｂは、第１の連接棒組６０に近接した一端は、個別に連接棒６１、６２と交差して一体的に枢着されている。また、第２の連接棒組６０Ｂの第２支持架４０に近接した一端は、連接棒６２Ｂが第２支持架４０の水平位置１３に枢着される。また、連接棒６１Ｂの滑動可能端には相連接メンバー６３Ｂが設けられ、この相連接メンバー６３Ｂを滑動可能に第二支持架４０の第二ガイドメンバー４１の中に連接する。
【００５７】
《まとめ》
以上に説明したように、本考案の携帯式投影幕は、汎用の投影幕と比較すると、連接棒組６０、６０Ｂが投影幕３０を展開するための支持架となっている。そのため、新たな支持架を設けることなく投影幕３０を展開して使用することができる、同時に、連接棒組６０，６０Ｂと投影幕３０を収納するときには、完全に第１支持架１０の内部にこれらを収納することができる。これによって、連接棒組６０、６０Ｂと投影幕３０を収納した後の体積を最小限に縮小することができるので携帯に有利である。また、連接棒組６０、６０Ｂは、Ｘ形状に配列された第１の連接棒６１、６２と第２の連接棒６１Ｂ、６２Ｂから構成されているので、投影幕３０を展開した後には、第２支持架４０によって安定的に支持することができるので、携帯式投影幕の使い勝手が一段と向上する。
【００５８】
また、本考案の携帯式投影幕はユーザの使用要求によって、第１支持架１０と第２支持架４０の長さを変更することができる。同時に、第１連接棒６１、６２、第２連接棒６１Ｂ、６２Ｂの長さの変化に合わせて、任意の寸法の携帯式投影幕を実現することができるので、市場の多様な要求に応えることができる。
【００５９】
以上、本考案を具体的な実施例に基づいて詳細に説明したが、本考案は上記の実施例に限定されるものではなく、本考案の精神を逸脱しない限り種々の改変を為すことができ、そして、本考案が該改変されたものに及ぶことは当然である。
【産業上の利用可能性】
【００６０】
本考案の携帯式投影幕は、重量が軽くて携帯に便利であり、且つ使用時における投影幕の支持機構が安定しており、さらに、使用用途に応じて寸法の異なる投影幕としても利用することができると共に、搬送時には投影幕をコンパクトに巻き収めることができるので、教室、会議室、視聴室などの固定的な場所のみならず、随時に開催される視聴覚施設のない大小の会場においても有効に利用することができる。
【符号の説明】
【００６１】
１０  第一支持架
１１  中空槽体
１２  開口
１３  水平位置
１４  第一ガイドメンバー
２０  巻軸
３０  投影幕
３１  活動可能端
４０  第２支持架
４１  第２ガイドメンバー
４２  圧板
４３  平面部
４４  刻み模様
４５  夾持部
５０  足架
６０、６０Ｂ  連接棒組
６１、６１Ｂ、６２、６２Ｂ  連接棒
６３、６３Ｂ、６４  相連接メンバー
６５、６６  支点端
６７  軸心
６８，６９  滑動端
７０  定位機構
７１  定位座
７２  滑動座
７３  第１拘ピース
７４  第２拘ピース
７５、７６  拘接部
７７  押圧部
７８  固定ピース
【図１】
0003166219.tif 000003
【図２】
0003166219.tif 000004
【図３】
0003166219.tif 000005
【図４】
0003166219.tif 000006
【図５】
0003166219.tif 000007
【図６】
0003166219.tif 000008
【図７】
0003166219.tif 000009
【図８】
0003166219.tif 000010
【図９】
0003166219.tif 000011
【図１０】
0003166219.tif 000012